(57)【要約】【課題】糸を切ることなく重量調整が可能であるとともに、釣糸に対する錘の着脱中および装着後の釣糸の損傷や捩れを防止できる釣り用錘体を提供する。【解決手段】本発明の一実施形態に係る釣り用錘体１は、釣糸１０を側方から通すことができるスリット５ａを有する筒状の錘５と、釣糸１０が挿通される内孔４ｃが貫通して設けられ、その外周面により錘５を挿嵌状態で保持する錘保持体４と、錘保持体４に着脱自在に取り付けられ、釣糸１０が挿通される内孔２ａ,２ｂが貫通して設けられるとともに、錘保持体４との間で錘５を挟持する管状体２とを具備する。【選択図】図１
2011211910.tif 000002
【特許請求の範囲】
【請求項１】
釣糸を側方から通すことができるスリットを有する筒状の錘と、
釣糸が挿通される内孔が貫通して設けられ、その外周面により前記錘を挿嵌状態で保持する錘保持体と、
前記錘保持体に着脱自在に取り付けられ、釣糸が挿通される内孔が貫通して設けられるとともに、前記錘保持体との間で前記錘を挟持する管状体と、
を具備することを特徴とする釣り用錘体。
【請求項２】
前記管状体は、
釣糸が挿通される内孔が貫通して設けられるとともに、前記錘保持体に着脱自在に取り付けられて前記錘保持体との間で前記錘を挟持する一端部を有する管状本体と、
釣糸が挿通される内孔が貫通して設けられ、前記管状本体の他端部に着脱自在に取り付けられるとともに、その外周面により前記錘を挿嵌状態で保持可能な第２の錘保持体と、
から成ることを特徴とする請求項１に記載の釣り用錘体。
【請求項３】
前記錘保持体の外周面に被嵌され、前記錘保持体からの前記錘の脱落を防止するための脱落防止体を更に備えることを特徴とする請求項１または請求項２に記載の釣り用錘体。
【請求項４】
前記管状体または前記管状本体が前記錘保持体に対して圧入されることを特徴とする請求項１ないし請求項３のいずれか１項に記載の釣り用錘体。
【請求項５】
前記管状体または前記管状本体が前記錘保持体に対して螺合されることを特徴とする請求項１ないし請求項３のいずれか１項に記載の釣り用錘体。
【発明の詳細な説明】
【技術分野】
【０００１】
本発明は、釣糸に付設できる釣り用錘体に関し、特に釣糸に通して取り付けることができる中通しタイプの釣り用錘体に関する。
【背景技術】
【０００２】
従来、釣糸に取り付けられる錘体としては、様々なタイプのものが知られているが、その中で、釣糸に通して取り付けることができる中通しタイプの釣り用錘体は、釣糸を切らなければその錘体の交換もしくは追加を行なう（錘の重量調整を行なう）ことができなかったため、非常に不便であった。
【０００３】
そこで、そのような中通しタイプの錘体の追加・交換に伴う不便さを解消するべく、例えば特許文献１に開示される釣り用錘体は、釣糸を挿通させるための孔が中心を貫く第１の錘と、釣糸を側方から通すことができる切り込みを有する第２の錘とから成っており、第１の錘に対して第２の錘を捩じ込むことによってこれらの錘同士が接続されるようになっている。
【先行技術文献】
【特許文献】
【０００４】
【特許文献１】特開２００１−３４６４８７号公報
【発明の概要】
【発明が解決しようとする課題】
【０００５】
確かに、特許文献１に開示される釣り用錘体によれば、切り込みを通じて釣糸を側方から第２の錘に対して抜き差しすることにより、釣糸を切らずに第１の錘に対して第２の錘を着脱する（錘を増減する）ことができる。しかしながら、釣糸に錘を取り付けた後においても、釣糸の一部が切り込みを通じて出入りできるため、実釣中など、状況により、切り込みに釣糸が引っ掛かって釣糸が傷付く虞がある。
【０００６】
また、特許文献１に開示される釣り用錘体では、切り込みを通じて挿入した釣糸が第２の錘の中心孔内に正確に位置されていないと、第１の錘に対して第２の錘を捩じ込んで接続する際に、切り込みを通じて中心孔から外れ出た釣糸が第１の錘と第２の錘との螺合部分に巻き込まれ、釣糸が傷付いたり或いは回転してよじれてしまう場合がある。
【０００７】
本発明は、前記事情に着目してなされたものであり、その目的とするところは、糸を切ることなく重量調整が可能であるとともに、釣糸に対する錘の着脱中および装着後の釣糸の損傷や捩れを防止できる釣り用錘体を提供することにある。
【課題を解決するための手段】
【０００８】
上記した目的を達成するために、本発明の釣り用錘体は、釣糸を側方から通すことができるスリットを有する筒状の錘と、釣糸が挿通される内孔が貫通して設けられ、その外周面により前記錘を挿嵌状態で保持する錘保持体と、前記錘保持体に着脱自在に取り付けられ、釣糸が挿通される内孔が貫通して設けられるとともに、前記錘保持体との間で前記錘を挟持する管状体とを具備することを特徴とする。
【０００９】
上記構成の釣り用錘体によれば、錘が、釣糸を側方から通すことができるスリットを有する筒状体として形成されているため、釣糸を切ることなく錘の交換・追加（重量の調整）を行なうことができる。また、上記構成によれば、錘が錘保持体の外周面上に保持された装着状態では、錘保持体の内孔に挿通された釣糸がスリットを通じて出入りしないため、実釣時などにおいて釣糸がスリットに引っ掛かって傷付く虞はない。また、このように、錘が錘保持体の外周面に保持された装着状態で釣糸がスリットから出入りしないことから（釣糸が正確に錘保持体の内孔に位置されるため）、その状態で錘保持体に対して管状体を取り付けても、その取り付け部分に釣糸が巻き込まれる虞はなく、したがって、取り付け時に釣糸が傷付いたり回転してよじれてしまうといった事態を回避できる。更に、上記構成では、錘保持体と管状体との間で錘が挟持されるため、錘保持体からの錘の脱落を防止できる。この場合、脱落の防止を確実ならしめるため、錘保持体と管状体とが圧入や螺合などによって取り付くことが好ましく、あるいは、錘保持体の外周面に被嵌されて錘保持体からの錘の脱落を防止する脱落防止体が設けられることが好ましい。なお、交換可能な錘（調整錘）は、重量が異なる複数種類のものが用意されることが望ましい。また、状況に応じて複数の錘を保持できるように、管状体自体が錘保持体とは別個の第２の錘保持体を有していても良い。また、上記構成の管状体や錘保持体自体も錘を構成していても良く、あるいは、管状体や錘保持体が浮力を持つ浮体として構成されても良い。
【発明の効果】
【００１０】
本発明によれば、糸を切ることなく重量調整が可能であるとともに、釣糸に対する錘の着脱中および装着後の釣糸の損傷やよじれを防止できる釣り用錘体を提供できる。
【図面の簡単な説明】
【００１１】
【図１】（ａ）は本発明の第１の実施形態に係る釣り用錘体の分解側面図、（ｂ）は本発明の第１の実施形態に係る釣り用錘体の分解断面図、（ｃ）は本発明の第１の実施形態に係る釣り用錘体の組み立て状態（取り付け状態）の側面図である。
【図２】（ａ）は錘の側面図および正面図、（ｂ）は（ａ）と重量が異なる錘の側面図および正面図である。
【図３】（ａ）は本発明の第２の実施形態に係る釣り用錘体の分解側面図、（ｂ）は本発明の第２の実施形態に係る釣り用錘体の分解断面図、（ｃ）は本発明の第２の実施形態に係る釣り用錘体の組み立て状態（取り付け状態）の側面図である。
【発明を実施するための形態】
【００１２】
以下、図面を参照しながら、本発明に係る釣り用錘体の実施形態について説明する。  
図１は本発明の第１の実施形態を示している。図示のように、本実施形態の中通しタイプの釣り用錘体１は、所定の重量を有する例えばステンレス、タングステン、スズなどの金属によって形成される筒状の錘５と、錘５を保持するための合成樹脂製の管状の錘保持体４と、錘保持体４に対して着脱自在に取り付けられる例えば合成樹脂、エラストマー等から形成される管状体２とから成る。
【００１３】
錘５は、釣糸１０を側方から通すことができるスリット５ａを全長にわたって有する。すなわち、錘５は、略Ｃ字形の断面を成しており、釣糸１０が挿通される内孔５ｂを有する。また、錘保持体４には、釣糸１０が挿通される内孔４ｃが貫通して設けられる。この場合、錘保持体４は、錘５の外径と略同じ外径を有する頭部４ｂと、錘５の内径と略同じ外径を有する保持部４ａとから成り、保持部４ａの外周面により錘５を挿嵌状態で保持するようになっている。また、錘保持体４の保持部４ａの先端部外周面には雄ネジ２０が形成されている。なお、雄ネジ２０の螺合を可能にするべく、保持部４ａの軸方向の長さが錘５の軸方向の長さよりも長く設定されていることは言うまでもない。また、内孔４ｃは、釣糸１０を錘保持体４の中心部にほぼ位置決めできるように、釣糸１０の外径よりも若干大きい程度の内径（釣糸１０に不要な抵抗を与えない程度の内径）を有して錘保持体４の軸中心に形成される。更に、本実施形態では、錘保持体４の保持部４ａからの錘５の脱落を防止するため、保持部４ａの外周面に脱落防止体としてのＯリング３０を随意的に被嵌できるようになっている。
【００１４】
また、管状体２は、釣糸１０が挿通される内孔２ａを有する。この場合、内孔２ａは、錘保持体４の保持部４ａを挿通できるように該保持部４ａの外径と略同じ内径を有しており、錘保持体４の保持部４ａの雄ネジ２０と螺合する雌ネジ１７をその奥端部に有する。また、管状体２には、この雌ネジ１７が形成された内孔２ａ部位に連通するよう、内孔２ａよりも小径な釣糸挿通用の貫通孔２ｂが設けられる。
【００１５】
したがって、上記構成の釣り用錘体１を釣糸１０に通して取り付ける場合には、まず、錘保持体４の内孔４ｃと管状体２の内孔２ａおよび貫通孔２ｂとにわたって釣糸１０を挿通する。また、脱落防止体としてのＯリング３０を使用する場合には、錘保持体４の内孔４ｃ（または、管状体２の内孔２ａおよび貫通孔２ｂ）に通した釣糸１０をＯリング３０に通し、その後、その釣糸１０を管状体２の内孔２ａおよび貫通孔２ｂ（または、錘保持体４の内孔４ｃ）に挿通する。その後、錘保持体４と管状体２との間に位置する釣糸１０の側方から所望の錘５をそのスリット５ａを通じて差し入れて錘５の内孔５ｂに釣糸１０を位置させた状態で、錘５を錘保持体４の保持部４ａの外周面上に挿嵌状態で装着する。その後、Ｏリング３０を使用した場合にはＯリング３０を保持部４ａの外周面上に被嵌する。そして、その状態で、今度は、保持部４ａを管状体２の内孔２ａに挿入して、保持部４ａの雄ネジ２０を管状体２の内孔２ａの雌ネジ１７に螺合することにより、錘保持体４と管状体２とを接続する。この時、管状体２と錘保持体４（頭部４ｃ）との間で錘５が挟持される（Ｏリング３０を使用した場合には、管状体２と錘保持体４（頭部４ｃ）との間で錘５およびＯリング３０が挟持される）。なお、このようにして釣り用錘体１が取り付けられた釣糸１０の端部には、スイベル１２などの接続具を介してハリスが接続され、そのハリスの端部にルアーや釣針１４が接続される。
【００１６】
一方、このように取り付けられた錘５を他の錘と交換する場合には、先に説明した手順と逆の手順で、まず、錘保持体４から管状体２を取り外した後、錘保持体４の保持部４ａから錘５を（Ｏリング３０を使用した場合には、Ｏリング３０も）取り外す。この時、錘５は、管状体２と錘保持体４との間に位置する釣糸１０がその内孔５ｂに挿通されたままである限りその釣糸１０によって支持された状態となるが、そのスリット５ａを通じて釣糸１０の側方へ抜き出すことにより簡単に取り外せる（Ｏリング３０は釣糸１０に支持されたままである）。その後、先の説明と同様にして、新たな錘５を釣糸１０の側方から差し入れて保持部４ａに装着し、管状体２と錘保持体４とを接続すれば、錘５の交換が完了する。
【００１７】
以上説明したように、本実施形態の釣り用錘体１によれば、錘５が、釣糸１０を側方から通すことができるスリット５ａを有する筒状体として形成されているため、釣糸１０を切ることなく錘５の交換・追加（重量の調整）を行なうことができる。また、本実施形態によれば、錘５が錘保持体４の外周面上に保持された装着状態では、錘保持体４の内孔４ｃに挿通された釣糸１０がスリット５ａを通じて出入りしないため、実釣時などにおいて釣糸１０がスリット５ａに引っ掛かって傷付く虞はない。また、このように、錘５が錘保持体４の外周面に保持された装着状態で釣糸１０がスリット５ａから出入りしないことから（釣糸１０が正確に錘保持体４の内孔４ｃに位置されるため）、その状態で錘保持体４に対して管状体２を取り付けても、その取り付け部分に釣糸１０が巻き込まれる虞はなく、したがって、取り付け時に釣糸１０が傷付いたり回転してよじれてしまうといった事態を回避できる。更に、本実施形態では、錘保持体４と管状体２との間で錘５が挟持されるため、また、錘保持体４と管状体２とが螺合によって取り付いているため、錘保持体４からの錘５の脱落を効果的に防止できる。なお、本実施形態では、図２に示されるように重量が異なる複数種類の錘５，５Ａが予め用意されており、状況に応じて交換可能である。また、本実施形態では、管状体２や錘保持体４自体も錘を構成していても良く、あるいは、管状体２や錘保持体４が浮力を持つ浮体として構成されても良い。
【００１８】
図３は本発明の第２の実施形態を示している。本実施形態の釣り用錘体１Ａでは、管状体２自体が錘保持体４とは別個の第２の錘保持体４Ａを有している。具体的には、管状体２は、釣糸１０が挿通される内孔２ａが貫通して設けられ且つ錘保持体４に着脱自在に取り付けられて錘保持体４との間で錘５を挟持する一端部を有する管状本体２Ａと、管状本体２Ａの他端部に着脱自在に取り付けられ且つ錘保持体４Ａと同一の構成を有する第２の錘保持体４Ａとから成る。この場合、管状本体２Ａは、合成ゴム、天然ゴム、エラストマー、ＰＶＣなどの材質から成る。そのため、前述した実施形態では、管状体２と錘保持体４とが螺合接続されていたが、本実施形態では、管状体２（管状本体２Ａ）と錘保持体４，４Ａとが圧入によって接続される（錘保持体４，４Ａの保持部４ａが管状本体２Ａの内孔２ａに圧入される）。この場合、錘保持体４の保持部４ａに錘５を挿嵌した状態で保持部４ａを管状体２の内孔２ａに圧入できるように（錘保持体４の保持部４ａに錘５を挿嵌した状態で保持部４ａの一部が錘５から突出するように）、保持部４ａの軸方向長さＬ１が錘５の軸方向長さＬ２よりも長く設定されている。なお、それ以外の構成は第１の実施形態と同一である。
【００１９】
このように、本実施形態では、管状体２の両側に錘保持体４，４Ａが設けられているため、状況に応じて複数の錘５を保持でき、有益である。また、管状体２の両側に錘保持体４，４Ａが設けられているため、これらの錘保持体４，４Ａの前述した中心にある小径の内孔４ｃの作用により、釣り用錘体１Ａの略全長にわたって釣糸１０を錘体１Ａの中心にほぼ位置させることができ、したがって、錘体１Ａが水中に沈む際に、錘体１Ａが水から受ける抵抗を均等にすることができる。
【符号の説明】
【００２０】
１，１Ａ  釣り用錘体
２  管状体
２Ａ  管状本体
２ａ  内孔
４  錘保持体
４Ａ  第２の錘保持体
４ｃ  内孔
５  錘
５ａ  スリット
１０  釣糸
３０  Ｏリング（脱落防止体）
【図１】
2011211910.tif 000003
【図２】
2011211910.tif 000004
【図３】
2011211910.tif 000005